(57)【要約】【課題】  折られたシート束の枚数、状態に関わらす、一つの平坦な圧接ローラで、折り頂である突出部に沿って圧接して角付け折りを行っていたが、平坦な圧接ローラ形状ゆえに、形成された角部の形状が丸みを帯び、角部が品位良く形成されない場合が存在していた。  又、その為シート束の全体の厚みが増え、収納積載性能が低下し多数の束積載が困難であった。【解決手段】  本発明においては、シート束の折り部に対しての圧接ローラ当接面の形状を真中近傍に膨らみを設けた凸形状として、該ローラを走行させて、角付け折りを成す事によって角部がよりシャープにさせて事と、頂部である突出部に対して安定して圧接ローラが当接するように圧接ローラの走行方向の上流側で、圧接ローラの走行に伴い移動し、且つ、圧接時に突出部の上下方向の動きを規制する為のガイド部材を設けた。【選択図】  図４
2006027214.tif 000002
【特許請求の範囲】
【請求項１】
折りたたまれたシート束の折り頂部を突出するように把持する手段と、
前記折り頂部を平坦化するために該折り頂部に沿って走行する圧接手段と、を有し、
該圧接手段は略中央部を凸状としたローラ部材を有していることを特徴とするシート処理装置。
【請求項２】
折りたたまれたシート束の折り頂部を突出するように把持する手段と、
前記折り頂部を平坦化するために該折り頂部を圧接する圧接手段と、有し、
前記圧接手段は略中央部を凸状としたローラ部材を有し、固定された該圧接手段に対してシート束が移動することを特徴とするシート処理装置。
【請求項３】
折りたたまれたシート束の折り頂部を突出するように把持する手段と、
前記折り頂部を平坦化するために折り頂部に沿って走行する圧接手段と、
該圧接手段の走行方向上流側に設けられ、前記圧接手段の走行に伴い移動し、且つ、圧接時にシート束の折り頂部近傍の厚みもしくは、位置を規制する為のガイド部材と、有することを特徴とするシート処理装置。
【請求項４】
折りたたまれたシート束の折り頂部を突出するように把持する手段と、
前記折り頂部のを平坦化するために折り頂部を圧接するための圧接手段と、を有し、
固定された該圧接手段に対してシート束が移動し、且つ、圧接時にシート束の折り頂部近傍の厚みもしくは、位置を規制する為のガイド部材を備えたことを特徴とするシート処理装置。
【発明の詳細な説明】
【技術分野】
【０００１】
本発明は、単純に折られただけ、又は、中綴じ、無線綴じ等で作成されたシート束の背表紙部に処理を施す、シート処理装置に関するものである。
【背景技術】
【０００２】
従来、概略２０枚程度の一組のシートを縫合／折り畳み機で折り畳むと、折り頂部付近に明らかに湾曲を有するような仕上がりの製品になる。この場合、小冊子は開く傾向を有するので、見栄えのしない外観を呈し、そして平坦な状態に置けないために、多数のそのような小冊子を貯蔵および運搬のために積み重ねることがより困難になっていた。
【０００３】
このような課題に対し、シートを処理した後平坦な状態で置かれるようにシート束の折り頂部を角付け折りさせる方法および装置が提供されている。
【０００４】
具体的には、従来のシート後処理装置では、折りローラ１０７から折り頂部を先端にして排出されるシート束１０１を、処理部において、引き込み可能な停止板１０５で一旦停止させ、折り頂部近傍を突出部を形成するようにグリップ部材１０２，１０３で把持し、背の湾曲を平滑化する圧接ローラ１０４を背部の長手方向に沿って走行させることにより折り頂部形状を角状に形成していた（例えば、特許文献１参考。）。
【特許文献１】特開２００１−２６０５６４号公報
【発明の開示】
【発明が解決しようとする課題】
【０００５】
しかしながら、特許文献１の場合においては、折られたシート束の枚数、状態に関わらす、一つの平坦な圧接ローラで、折り頂である突出部に沿って圧接して角付け折りを行っていた。よって、圧接によって形成された角部の形状が丸みを帯び、角部が品位良く形成されない場合が存在していた。
【０００６】
又、その為シート束の全体の厚みが増え、収納積載性能が低下し多数の束積載が困難であった。
【課題を解決するための手段】
【０００７】
上記課題を解決手段ための、本発明のシート処理装置の構成は、折りたたまれたシート束の折り頂部を突出するように把持する手段と、前記折り頂部を平坦化するために該折り頂部に沿って走行する圧接手段と、を有し、該圧接手段は略中央部を凸状としたローラ部材を有している。
【０００８】
また、本発明のシート処理装置は、折りたたまれたシート束の折り頂部を突出するように把持する手段と、前記折り頂部を平坦化するために該折り頂部を圧接する圧接手段と、有し、前記圧接手段は略中央部を凸状としたローラ部材を有し、固定された該圧接手段に対してシート束が移動することを特徴とする。
【０００９】
また、本発明のシート処理装置は、折りたたまれたシート束の折り頂部を突出するように把持する手段と、前記折り頂部を平坦化するために折り頂部に沿って走行する圧接手段と、該圧接手段の走行方向上流側に設けられ、前記圧接手段の走行に伴い移動し、且つ、圧接時にシート束の折り頂部近傍の厚みもしくは、位置を規制する為のガイド部材と、有することを特徴とする。
【００１０】
また、本発明のシート処理装置は、折りたたまれたシート束の折り頂部を突出するように把持する手段と、前記折り頂部を平坦化するために折り頂部を圧接するための圧接手段と、を有し、固定された該圧接手段に対してシート束が移動し、且つ、圧接時にシート束の折り頂部近傍の厚みもしくは、位置を規制する為のガイド部材を備えたことを特徴とする。
【発明の効果】
【００１１】
本発明においては、シート束の折り部に対しての圧接ローラ当接面の形状を真中近傍に膨らみを設けた凸形状として、該ローラ若しくは該ローラによって圧接されるシートを走行させて、角付け折りを成すことによって角部がよりシャープになったものが得られる。
【００１２】
更に、本発明においては、折り頂部である突出部に対して安定して圧接ローラが当接するように圧接ローラの走行方向の上流側に、圧接時に突出部の上下方向の動きを規制する為のガイド部材を設けることにより、より安定した角付け折りの品位を得る事が可能となった。
【発明を実施するための最良の形態】
【００１３】
（第１の実施の形態）
以下、本発明の実施の形態について図面を用い以下に示す。
【００１４】
先ず、図１乃至図４を用いて、本発明のシート束の搬送及び、角付け折り部の構成を説明する。
【００１５】
シート束処理装置１００には、折り畳まれたシート束を搬送する搬送ローラ１，２と、搬送ローラ１，２によって搬送されたシートの先端側（折り頂部側）と当接してシート束の位置決めと行うための先端ストッパー７が設けられている。また、先端ストッパー７によって位置決めされたシートの先端側（折り頂部側）を突出した状態で把持する把持手段４，５と、把持手段４，５によって把持されたシート束の折り頂部を圧接して平坦化する圧接ローラ９（図４に示す）とが設けられている。
【００１６】
把持手段４，５のシート束との接触面には、把持によるシートへの傷、跡等を緩和する為に、ゴム、スポンジ等の弾性体シート６が設けられている。圧接ローラ９は、略真中近傍に膨らみを設けた凸形状となっており、折り頂部を最も強く圧接させる構成となっている。
【００１７】
折り畳まれたシート束Ｓは、図１の矢印ａに示す通り、折り頂部を先端として右から左方向に搬送ローラ１，２によって搬送される（図１）。そして、折り頂部を先端ストッパー７に突き当て、シート束の姿勢補正及び、位置決めを行う（図２）。
【００１８】
その後、停止したシート束Ｓを固定する為に把持手段４，５が作動し、シート束を把持する（図３）。なお、本実施形態おいては、固定された下把持手段５に対して、上把持手段４が下降してシート束を把持する構成としているが、その把持手段においてはこれに限るものではない。
【００１９】
把持後、先端ストッパー７は回動して、折り頂部近傍より退避し、把持手段４，５と先端ストッパーの突き当て部との空間分だけ折り頂部が突出した突出部Tが形成される。
【００２０】
その突出部Ｔに対して、図４において、手前から奥方向に圧接ローラ９が折り頂部に沿って、頂部を潰すように走行する。該圧接ローラ９は略真中近傍に膨らみを設けた凸形状となっており、折り頂部を最も強く圧接させる構成となっている。
【００２１】
又、進入量を一定に保つ為に、第１フランジ１０が設けられており、把持手段４，５の側面に当接しながら回転するように構成されている。本実施形態においては、第１圧接ローラ９と第1フランジ１０が一体であるものを示したが、別体でであってもよい。
【００２２】
図５は、本実施例を用いた圧接手段によって形成された角部である。また比較のために、従来技術である平坦な圧接手段によって形成された角部を図６に示した。
【００２３】
両者を比較すると、形成された形状が異なり、本実施例を用いた角部の方がよりシャープに形成される。
【００２４】
（第２の実施の形態）
第２の実施形態を、図７を用いて説明する。
【００２５】
図７は角付け折り状態を示す上視図であり、角付け折りの構成等においては、先に説明した第１の実施形態と同じである。本実施形態においては、先端ストッパー7と把持手段４によって形成された突出部Ｔの折り頂部Ｌに沿って、角付け折りユニット２０が図中矢印ｂ方向に走行する点が第１の実施形態と異なるため、異なる構成について説明し、第１の実施形態と同様の構成と同様の構成については同一の符号を付して説明を省略する。
【００２６】
該角付け折りユニット２０の構成としては、折り頂部Lに対して角付け折りを形成する為の圧接ローラ９、進入量を一定に保つ為に、圧接ローラ９の支持軸と同軸でフランジ１０が設けられており、把持手段４，５に当接しながら回転するように構成されている。ここにおいて、圧接ローラ９とフランジ１０が一体であるか、別体であるかは問うものではない。
【００２７】
テーパーガイド１４は圧接ローラ９の走行方向の上流側で、ローラホルダー８に設けられたガイド部であり、圧接時に突出部の上下方向の動きを規制する為のガイド機能を果たしている。
【００２８】
ローラホルダー８は角付け折り時に圧接ローラを走行させる移動手段１３に対してイコライズ支軸１２を回転軸として、回動可能に保持されており、更にイコライズバネ１１によって、折り頂部側に弾性付加されている。
【００２９】
図８は折り頂部側より見た、圧接ローラ部及び、テーパーガイド部であり、折り頂部を上下から圧接ローラに案内できるように上下に配置されている。
【００３０】
圧接ローラに確実に案内する事が目的であり、その形状等においては限定されるものではない。この上下のテーパーガイド１４，１５により、その間隔Ｇの間で折り頂部の上下方向の傾きが防止され、確実な角付き折れが実施される。
【００３１】
（第３の実施の形態）
第３の実施形態を、図９を用いて説明する。
【００３２】
図９は角付け折り部の上視図である。本発明においては、圧接手段ユニット２３は固定されており、該固定された圧接ユニット２１に対して、シート束を移動して角付け折りを実施する点が第２の実施形態と異なり、第２の実施形態と同様の構成と同様の構成については同一の符号を付して説明を省略する。
【００３３】
固定された圧接ユニット２１に対して、シート束を移動するために、把持手段４、５がシートを把持した状態で図１０中の矢印ｃ方向に移動して角付け折りを実施する。
【００３４】
なお、既述した第１乃至第３の実施形態によって以下の効果を奏する。
【００３５】
・角付け折りされたシート束の角部が従来よりも丸みが取れた形で形成される為、品位の向上したシート束が得られる。
【００３６】
・角付け折りされたシート束の角部が従来よりも丸みが取れた形で形成される為、シート束の全体の厚みが減り、収納積載性が向上する。
【００３７】
また、第２および第３実施形態によれば更に以下の効果を奏する。
【００３８】
・圧接ローラの走行方向の上流側に、圧接ローラの走行に伴い移動し、且つ、圧接時に突出部の上下方向の動きを規制する為のガイド部材を設けることにより、より安定した角付け折りが可能となる。
【図面の簡単な説明】
【００３９】
【図１】本発明の第１の実施形態に係るシート処理装置におけるシート束搬送と角付け折りを示す正面図。
【図２】本発明の第１の実施形態に係るシート処理装置におけるシート束搬送と角付け折りを示す正面図。
【図３】本発明の第１の実施形態に係るシート処理装置におけるシート束搬送と角付け折りを示す正面図。
【図４】本発明の第１の実施形態に係るシート処理装置におけるシート束搬送と角付け折りを示す正面図
【図５】本発明の実施形態に係るシート処理装置を用いて形成されたシート束角部形状を示す図。
【図６】従来のシート処理装置を用いて形成されたシート束角部形状を示す図。
【図７】本発明の第２の実施形態に係るシート処理装置の上視図。
【図８】本発明の第２の実施形態に係るシート処理装置における圧接手段を示す側面図
【図９】本発明の第２の実施形態に係るシート処理装置の上視図。
【符号の説明】
【００４０】
１，２  搬送ローラ
３  ガイド
４  上把持手段
５  下把持手段
６  弾性部材
７  先端ストッパー
８  圧接ローラホルダー
９  圧接ローラ
１０  フランジ
１１  イコライズバネ
１２  イコライズ支軸
１３  移動手段
１４、１５  テーパーガイド
２０、２１  角付け折りユニット
１０１、Ｓ  シート束
１０２、１０３  グリップ部材
１０４  圧接ローラ
１０５  停止板
１０６  排出ローラ
１０７  折りローラ
108  排紙トレイ部
T  折り突出部
L  折り頂部
G  テーパーガイド間距離
【図１】
2006027214.tif 000003
【図２】
2006027214.tif 000004
【図３】
2006027214.tif 000005
【図４】
2006027214.tif 000006
【図５】
2006027214.tif 000007
【図６】
2006027214.tif 000008
【図７】
2006027214.tif 000009
【図８】
2006027214.tif 000010
【図９】
2006027214.tif 000011